(57)【要約】【課題】吐出させる内容物によって形成される造形物を、従来よりも更に見栄えよく造形することが可能な吐出ヘッド、及びエアゾール式吐出容器を提案する。【解決手段】本発明の吐出ヘッド１は、吐出容器１００のステム１０１ｃ、１０２ｃから吐出される内容物を内部空間Ｎに送給する送給筒３ｅ、３ｆと、内部空間Ｎに連通する成形孔４ｃ、４ｄを複数備える造形壁４ｂとを有し、成形孔４ｃ、４ｄから内容物を吐出させて形作られる造形要素が造形壁４ｂの面上で組み合わさって内容物の造形物が形成されるものであり、送給筒を複数備え、内部空間Ｎを、それぞれの送給筒３ｅ、３ｆから送給される内容物が合流して成形孔４ｃ、４ｄを通過するよう構成してなる。【選択図】図１
2019189310.tif 000002
【特許請求の範囲】
【請求項１】
吐出容器のステムから吐出される内容物を内部空間に送給する送給筒と、該内部空間に連通する成形孔を複数備える造形壁とを有し、該成形孔から内容物を吐出させて形作られる造形要素が該造形壁の面上で組み合わさって内容物の造形物が形成される吐出ヘッドであって、
前記送給筒を複数備え、
前記内部空間を、それぞれの送給筒から送給される内容物が合流して前記成形孔を通過するよう構成してなる吐出ヘッド。
【請求項２】
複数の前記送給筒を備えるとともに該送給筒から吐出される内容物をそれぞれ通過させる複数の開口を備える天壁を有し、該天壁を前記造形壁に対して対向姿勢で備えるベース部材と、
前記ベース部材を上下動可能に保持するとともに前記造形壁を備える吐出部材と、を備え、
前記ベース部材が上方へ移動した際に前記天壁が前記造形壁に当接する一方、前記ベース部材が下方へ移動した際に前記天壁と前記造形壁との間で複数の前記開口が連通する前記内部空間が区画形成される請求項１に記載の吐出ヘッド。
【請求項３】
前記ベース部材は、前記ステムから内容物を吐出させる際に該ベース部材を押し下げるための指掛け部を有する請求項２に記載の吐出ヘッド。
【請求項４】
前記造形壁は、前記ベース部材が上方へ移動した際に前記開口に挿入されるシール部を有する請求項２又は３に記載の吐出ヘッド。
【請求項５】
前記吐出容器に取り付けられる保持部材を有し、
前記吐出部材は、前記保持部材に対して不動に保持される請求項２〜４の何れか一項に記載の吐出ヘッド。
【請求項６】
前記保持部材と前記ベース部材との相互間に、該ベース部材を前記造形壁に向けて付勢する弾性体を有する請求項５に記載の吐出ヘッド。
【請求項７】
前記吐出容器は、複数の吐出容器体を組み合わせて構成され、該吐出容器体のそれぞれは、前記ステムを一つ備えるマウンティングカップを有する請求項１〜６の何れか一項に記載の吐出ヘッド。
【請求項８】
前記吐出容器は、前記ステムを複数備えるマウンティングカップを有する一の吐出容器体で構成される請求項１〜６の何れか一項に記載の吐出ヘッド。
【請求項９】
前記造形物は、一の色の前記内容物で形成される部分と、他の色の前記内容物で形成される部分と、一の色の前記内容物と他の色の前記内容物が混合して形成される部分で構成される請求項１〜８の何れか一項に記載の吐出ヘッド。
【請求項１０】
前記造形物は泡状である、請求項１〜９の何れか一項に記載の吐出ヘッド。
【請求項１１】
請求項１〜１０の何れか一項に記載の吐出ヘッドを、エアゾール式の前記吐出容器に設けた、エアゾール式吐出容器。
【発明の詳細な説明】
【技術分野】
【０００１】
本発明は、吐出容器に装着されて内容物を吐出する吐出ヘッドに関するものであり、特に、吐出した内容物によって所定形状の造形物が形成される吐出ヘッド、及びこの吐出ヘッドをエアゾール式の吐出容器に装着したエアゾール式吐出容器に関する。
【背景技術】
【０００２】
近年、吐出容器に装着されて内容物を吐出する吐出ヘッドにおいては、吐出した内容物によって所定形状の造形物が形成されるものが出始めている。例えば特許文献１に示された吐出ヘッドは、頂部に位置する造形壁に、内容物が通過する複数の成形孔が設けられていて、これらの成形孔から吐出される内容物の造形要素が造形壁の面上で組み合わさることで、所定の造形物が形成されるようにしている。このような吐出ヘッドによれば、成形孔の大きさや形状、位置などに応じて、様々な造形物を形成することができる。例えば特許文献１では一例として、内容物が薔薇のような八重咲きの花として造形される吐出ヘッドを開示している。
【先行技術文献】
【特許文献】
【０００３】
【特許文献１】特開２０１６−２６９６２号公報
【発明の概要】
【発明が解決しようとする課題】
【０００４】
このように、従来の吐出ヘッドでも複雑な造形物が形成可能であるが、更に見栄えのよい造形物が形成できれば、これまでの吐出ヘッドよりも付加価値が高まることになる。
【０００５】
本発明は、このような事情に鑑みてなされたものであり、吐出させる内容物によって形成される造形物を、従来よりも更に見栄えよく造形することが可能な吐出ヘッド、及びエアゾール式吐出容器を提供することを目的とする。
【課題を解決するための手段】
【０００６】
本発明は、吐出容器のステムから吐出される内容物を内部空間に送給する送給筒と、該内部空間に連通する成形孔を複数備える造形壁とを有し、該成形孔から内容物を吐出させて形作られる造形要素が該造形壁の面上で組み合わさって内容物の造形物が形成される吐出ヘッドであって、
前記送給筒を複数備え、
前記内部空間を、それぞれの送給筒から送給される内容物が合流して前記成形孔を通過するよう構成してなる吐出ヘッドである。
【０００７】
複数の前記送給筒を備えるとともに該送給筒から吐出される内容物をそれぞれ通過させる複数の開口を備える天壁を有し、該天壁を前記造形壁に対して対向姿勢で備えるベース部材と、
前記ベース部材を上下動可能に保持するとともに前記造形壁を備える吐出部材と、を備え、
前記ベース部材が上方へ移動した際に前記天壁が前記造形壁に当接する一方、前記ベース部材が下方へ移動した際に前記天壁と前記造形壁との間で複数の前記開口が連通する前記内部空間が区画形成されることが好ましい。
【０００８】
前記ベース部材は、前記ステムから内容物を吐出させる際に該ベース部材を押し下げるための指掛け部を有することが好ましい。
【０００９】
前記造形壁は、前記ベース部材が上方へ移動した際に前記開口に挿入されるシール部を有することが好ましい。
【００１０】
前記吐出容器に取り付けられる保持部材を有し、
前記吐出部材は、前記保持部材に対して不動に保持されることが好ましい。
【００１１】
前記保持部材と前記ベース部材との相互間に、該ベース部材を前記造形壁に向けて付勢する弾性体を有することが好ましい。
【００１２】
前記吐出容器は、複数の吐出容器体を組み合わせて構成され、該吐出容器体のそれぞれは、前記ステムを一つ備えるマウンティングカップを有することが好ましい。
【００１３】
前記吐出容器は、前記ステムを複数備えるマウンティングカップを有する一の吐出容器体で構成されることが好ましい。
【００１４】
前記造形物は、一の色の前記内容物で形成される部分と、他の色の前記内容物で形成される部分と、一の色の前記内容物と他の色の前記内容物が混合して形成される部分で構成されることが好ましい。
【００１５】
前記造形物は、泡状であることが好ましい。
【００１６】
また本発明は、前記吐出ヘッドを、エアゾール式の前記吐出容器に設けた、エアゾール式吐出容器でもある。
【発明の効果】
【００１７】
本発明の吐出ヘッドは、ステムから吐出される内容物を送給する送給筒を複数備えていて、吐出ヘッドの内部空間は、それぞれの送給筒から送給される内容物が合流して成形孔を通過するように構成されている。このため、複数の内容物を個別に充填するとともに、それぞれの内容物を吐出するステムを備える容器に使用することによって、複数の内容物が混合する部分（例えば、マーブル柄のように複数の内容物が互いに練り込まれる部分、グラデーションのようにある内容物から他の内容物に徐々に変わっていく部分、複数の内容物が略完全に混ざり合う部分など）を含む造形物を形成することができる。例えば２色の内容物を個別に充填するとともに、それぞれの内容物を吐出する２つのステムを持つ吐出容器に対し、本発明に従う吐出ヘッドは、２つの送給筒から送給される内容物が内部空間で合流して成形孔を通過するため、例えば一端から他端に向かって一の色から他の色に徐々に変化していくような造形物を形成することができる。このように本発明の吐出ヘッドによれば、一種類の内容物で造形物を形成していた従来の吐出ヘッドに比して高い装飾性が得られるため、更に見栄えがよくなる。
【００１８】
また本発明の吐出ヘッドを、上述したベース部材と吐出部材とを備えるものとする場合は、比較的簡素な構成でありながら上述した効果を実現することができる。また、内容物を吐出した後にベース部材が上方へ復帰すると、天壁が造形壁に当接するため、内部空間や成形孔に残る内容物を極力減らすことができる。すなわち、例えば発泡性の内容物を使用する場合において、内部空間や成形孔に残った内容物は時間が経つと液体に戻るため、次回内容物を吐出させる際には、残った内容物によって泡の性状が変わってしまい、造形物が意図した形にならないおそれがあるが、上述した構成を採用することによって、このような不具合を防止することができる。
【００１９】
そして上述した指掛け部を設ける場合は、ベース部材を押し下げやすくなるため、操作性が向上する。また、造形壁に指等が触れたままの状態で内容物を吐出させると、吐出した内容物に指等が触れて造形物の形が崩れるおそれがあるが、このような指掛け部を設けることで、このような不具合も防止することができる。
【００２０】
また、上述したシール部を設ける場合は、開口に内容物が残ったままになることがないため、例えば長期間不使用の状態でも内容物が開口で固化してしまうことがない。
【００２１】
そして、上述した保持部材に対して吐出部材が不動に保持される場合は、吐出部材に対して上下動するベース部材を安定的に動かすことができるため、操作性がよくなる。
【００２２】
また、上述した弾性体を設ける場合は、内容物を吐出させるべく下方に押し下げたベース部材を、上方の初期位置まで自動的に復帰させることができる。
【００２３】
本発明の吐出ヘッドを取り付ける吐出容器は、複数の吐出容器体を組み合わせて構成されるものであって、吐出容器体のそれぞれがステムを一つ備えるマウンティングカップを有するものでもよいし、一の吐出容器体で構成されるものであって、この吐出容器体がステムを複数備えるマウンティングカップを有するものでもよい。
【図面の簡単な説明】
【００２４】
【図１】本発明に従う吐出ヘッドの第一実施形態につき、これをエアゾール式の吐出容器に装着してエアゾール式吐出容器として示した平面図と断面図（吐出容器は側面図）である。
【図２】図１に示す吐出ヘッドの成形孔から内容物が吐出される状況を説明する図である。
【図３】本発明に従う吐出ヘッドの第二実施形態につき、これをエアゾール式の他の吐出容器に装着してエアゾール式吐出容器として示した平面図と断面図（吐出容器は側面図）である。
【図４】図３に示す吐出ヘッドの成形孔から内容物が吐出される状況を説明する図である。
【発明を実施するための形態】
【００２５】
以下、本発明に従う吐出ヘッドの一実施形態について、図面を参照しながら説明する。なお、本明細書等における「上」、「下」の関係は、図１に示すように正立させた吐出容器に取り付けた状態での向きをいう。
【００２６】
図１〜図２は、本発明に従う吐出ヘッドの第一実施形態について示した図である。本実施形態の吐出ヘッド１は、エアゾール式の吐出容器１００に取り付けて使用される。また吐出ヘッド１は、保持部材２、ベース部材３、吐出部材４、弾性体５で構成されている。
【００２７】
まず吐出容器１００について説明する。吐出容器１００は、複数の吐出容器体を組み合わせて構成されるものである。本実施形態においては、エアゾール式の２つの吐出容器体１０１、１０２を左右に並べて構成したものである。吐出容器体１０１、１０２は、有底円筒状となる金属製の容器本体１０１ａ、１０２ａと、容器本体１０１ａ、１０２ａの上端部で巻き締められて固着された金属製のマウンティングカップ１０１ｂ、１０２ｂとを備えている。またマウンティングカップ１０１ｂ、１０２ｂの中央部には、円筒状をなし、上方へ向けて付勢されているステム１０１ｃ、１０２ｃが設けられている。このような吐出容器体１０１、１０２の内部には、内容物と高圧ガスが充填されていて、ステム１０１ｃ、１０２ｃを下方へ向けて押圧することで、内容物を吐出させることができる。また本実施形態において、２つの吐出容器体１０１、１０２のそれぞれには、互いに異なる色であって、吐出後は泡状になる内容物が収められている。
【００２８】
保持部材２は、２つの吐出容器体１０１、１０２における２つのマウンティングカップ１０１ｂ、１０２ｂを全て取り囲む環状壁２ａを備えている。環状壁２ａの下部内周面には、マウンティングカップ１０１ｂ、１０２ｂに係合する爪部２ｂが設けられていて、保持部材２をマウンティングカップ１０１ｂ、１０２ｂに抜け止め保持している。なお環状壁２ａの内側には、環状壁２ａとともにマウンティングカップ１０１ｂ、１０２ｂをそれぞれ取り囲む内側壁２ｃが設けられている。環状壁２ａ及び内側壁２ｃの上部には、２つのマウンティングカップ１０１ｂ、１０２ｂの上面に沿って延在するとともに、２つのステム１０１ｃ、１０２ｃをそれぞれ露出させる２つの孔と、中央部に設けられる１つの孔とを有する頂壁２ｄが設けられている。頂壁２ｄにおける中央部の孔の縁部には、上方へ向けて延在する内側側壁２ｅが設けられている。また頂壁２ｄの外縁部には、上方へ向けて延在する上部環状壁２ｆが設けられている。また、上部環状壁２ｆの内側には、ステム１０１ｃ、１０２ｃをそれぞれ取り囲む円環状の下部ガイド壁２ｇが設けられている。そして環状壁２ａの下端部には、径方向外側に延在した後、上下方向に延在するとともに、上部内周面に爪部を有する係合壁２ｈが設けられている。
【００２９】
ベース部材３は、保持部材２の上方において水平方向に延在する天壁３ａを備えている。天壁３ａの外縁部には、上部環状壁２ｆを取り囲むようにして下方へ向けて延在する周壁３ｂが設けられている。ここで周壁３ｂは、上部環状壁２ｆに対して摺動可能となっている。そして周壁３ｂの下端部には、径方向外側に向けて延在し、内容物を吐出する際に指で押圧する部位となる指掛け部３ｂ１が設けられている。また天壁３ａには、２つのステム１０１ｃ、１０２ｃの上方において、天壁３ａを貫通する２つの開口３ｃ、３ｄが設けられている。そして天壁３ａの下面には、円筒状をなし、開口３ｃ、３ｄとともにステム１０１ｃ、１０２ｃをそれぞれ取り囲むように形成され、ステム１０１ｃ、１０２ｃから吐出される内容物をそれぞれ開口３ｃ、３ｄに向けて送給する２つの送給筒３ｅ、３ｆが設けられている。更に、天壁３ａの下面における中央部には、隣り合う内側側壁２ｅの間に挿入される中央壁３ｇが設けられている。また、天壁３ａの下面において、送給筒３ｅ、３ｆの径方向外側には、送給筒３ｅ、３ｆをそれぞれ取り囲む円環状の上部ガイド壁３ｈが設けられている。
【００３０】
そして図１に示すように吐出部材４は、周壁３ｂを取り囲んで液密に当接するとともに、周壁３ｂを上下動可能に摺動させる外周壁４ａを備えている。なお外周壁４ａには、指掛け部３ｂ１を逃がす切り欠き４ａ１が設けられている。また外周壁４ａの下端部には、係合壁２ｈの爪部に係合する係合爪４ａ２が設けられている。そして吐出部材４は、天壁３ａに対向する造形壁４ｂを備えていて、外周壁４ａの上端部は造形壁４ｂと一体に連結している。また造形壁４ｂには、これを貫通する複数の成形孔４ｃ、４ｄが設けられている。ここで成形孔４ｃは、本実施形態では、図１の平面図に示すように造形壁４ｂの中央部に設けられている。なお成形孔４ｃは、個々の形状は円弧状になるものであるが、一つ一つの向きを変えつつ、半径の異なるものを複数寄せ集めていて、複数の成形孔４ｃがまとまることによって、全体として花のような形態で内容物を吐出することができる。また成形孔４ｄは、図１の平面図に示すように造形壁４ｂの四隅に設けられている。そして成形孔４ｄも、個々の形状は円弧状になるものであるが、各隅部において複数がまとまることによって、花のような形態で内容物を吐出することができる。また造形壁４ｂの下面には、円柱状をなすとともに開口３ｃ、３ｄに挿入されるシール部４ｅが設けられている。
【００３１】
弾性体５は、本実施形態では図示したようなコイルバネを使用している。弾性体５は、頂壁２ｄと天壁３ａとの間に設けられていて、保持部材２に対してベース部材３を上方に向けて付勢している。また弾性体５は、下部は下部ガイド壁２ｇの内側に配置され、上部は上部ガイド壁３ｈの外側に配置されていて、保持部材２とベース部材３との間で位置決めされている。
【００３２】
このような構成になる吐出ヘッド１から内容物を吐出させるには、指掛け部３ｂ１を指で押圧して、図２に示すようにベース部材３を下方に向けて移動させる。ここで、ベース部材３の周壁３ｂは、上部環状壁２ｆを取り囲むとともに上部環状壁２ｆに対して摺動可能に設けられている。また周壁３ｂは、これを取り囲む外周壁４ａに対しても摺動可能に設けられている。更に中央壁３ｇは、隣り合う内側側壁２ｅの間に挿入されている。このためベース部材３は、保持部材２に対して傾くことなく水平状態を保ったままスムーズに下方に移動する。ここで、下方に移動した天壁３ａと造形壁４ｂの間には、開口３ｃ、３ｄと連通するとともに成形孔４ｃ、４ｄとも連通する内部空間Ｎが区画形成される。そして、ベース部材３が下方に移動するに伴ってステム１０１ｃ、１０２ｃが押し下げられるため、吐出容器体１０１、１０２の内容物は、ステム１０１ｃ、１０２ｃからそれぞれ吐出される。そしてステム１０１ｃから吐出された内容物は、送給筒３ｅを経由して開口３ｃから内部空間Ｎに導入される。またステム１０２ｃから吐出された内容物は、送給筒３ｆを経由して開口３ｄから内部空間Ｎに導入される。このため、ステム１０１ｃからの内容物と、ステム１０２ｃからの内容物は、内部空間Ｎで合流して成形孔４ｃ、４ｄから吐出される。なお、２種類の内容物の混ざり具合は、内部空間Ｎの大きさや成形孔４ｃ、４ｄの位置などによって変えることができる。本実施形態においては、開口３ｃに近い成形孔４ｃ、４ｄからはステム１０１ｃからの内容物が吐出され、また開口３ｄに近い成形孔４ｃ、４ｄからはステム１０２ｃからの内容物が吐出され、更に開口３ｃと開口３ｄの間（造形壁４ｂの中央部）からは、ステム１０１ｃとステム１０２ｃの内容物が混合した状態（例えば、２つの色の内容物が互いに練り込まれてマーブル柄のようになる状態、１色目の色から２色目の色に徐々に変わっていくグラデーションのようになる状態、２つの色の内容物が略完全に混ざり合って別の色になる状態など）で吐出される。従って、開口３ｃに近い成形孔４ｄから吐出される造形要素が組み合わさって形成される、花の如き造形物は、ステム１０１ｃからの内容物の色となる。また開口３ｄに近い成形孔４ｄから吐出される造形要素で形成される花の如き造形物は、ステム１０２ｃからの内容物の色となる。そして成形孔４ｃから吐出される造形要素が組み合わさって形成される花の如き造形物は、例えば、開口３ｃに近い側の端部から開口３ｄに近い側の端部に向かって、ステム１０１ｃの内容物の色からステム１０２ｃの内容物の色に徐々に変わることになる。このため、造形物の形状のみならず、色によっても目を惹くことができ、高い装飾性を得ることができる。
【００３３】
そして指掛け部３ｂ１への押圧を解除すると、弾性体５の弾性力によって、ベース部材３は図１の状態に復帰する。この状態においては、天壁３ａが造形壁４ｂに当接するため、内部空間Ｎに収容された内容物は、成形孔４ｃ、４ｄから吐出されて天壁３ａと造形壁４ｂの間には殆ど残らない。このため次に内容物を吐出する際は、吐出容器体１０１、１０２から新たな内容物が内部空間Ｎに導入される。またこの状態において、開口３ｃ、３ｄにはシール部４ｅが挿入されるため、内容物が開口３ｃ、３ｄに残ったままになることがない。このため、例えば長期間使用しなくても、内容物が開口３ｃ、３ｄで固化する不具合が有効に防止される。
【００３４】
次に、本発明に従う吐出ヘッドの第二実施形態について、図３、図４を参照しながら説明する。本実施形態の吐出ヘッド１１は、エアゾール式の吐出容器２００に取り付けて使用されるものである。また吐出ヘッド１１は、保持部材１２、ベース部材１３、吐出部材１４、弾性体１５で構成されている。
【００３５】
本実施形態の吐出容器２００は、エアゾール式の一つの吐出容器体２０１で構成されるものである。吐出容器体２０１は、有底円筒状となる金属製の容器本体２０１ａの上端部に金属製のマウンティングカップ２０１ｂを巻き締めて固着させてものである。またマウンティングカップ２０１ｂには、円筒状をなし、上方へ向けて付勢されている２つのステム２０１ｃ、２０１ｄが設けられている。そして吐出容器体２０１の内部には、２種類の内容物が高圧ガスとともに別々に収容されていて、ステム２０１ｃ、２０１ｄを下方へ向けて押圧すると、それぞれのステム２０１ｃ、２０１ｄから２種類の内容物を別々に吐出することができる。なお、本実施形態においてもステム２０１ｃ、２０１ｄから吐出される内容物は、互いに異なる色であって、吐出後は泡状になるものである。
【００３６】
保持部材１２は、マウンティングカップ２０１ｂを取り囲む環状壁１２ａを備えていて、環状壁１２ａの下部内周面には、爪部１２ｂが設けられている。これにより保持部材１２は、マウンティングカップ２０１ｂに抜け止め保持される。環状壁１２ａの上端部は、基壁１２ｃと連結している。ここで基壁１２ｃは、径方向内側に延在しつつ環状壁１２ａの上端部に連結する部位からマウンティングカップ２０１ｂの上部を取り囲むように上方に向けて延在し、その後、２つのステム２０１ｃ、２０１ｄを露出させるようにしてマウンティングカップ２０１ｂの上面に沿って延在する形態をなすものである。また基壁１２ｃの外縁部には、上下方向に延在するとともに、上部内周面に爪部を有する係合壁１２ｄが設けられている。
【００３７】
ベース部材１３は、保持部材１２の上方において水平方向に延在する天壁１３ａを備えている。天壁１３ａの外縁部には、下方へ向けて延在する周壁１３ｂが設けられていて、周壁１３ｂの下端部には、径方向外側に向けて延在し、内容物を吐出する際に指で押圧する部位となる指掛け部１３ｂ１が設けられている。また天壁１３ａは、２つのステム２０１ｃ、２０１ｄの上方に位置する２つの開口１３ｃ、１３ｄと、円筒状をなし、開口１３ｃ、１３ｄとともにステム２０１ｃ、２０１ｄをそれぞれ取り囲むように形成される送給筒１３ｅ、１３ｆを備えている。また、天壁１３ａの下面には、送給筒１３ｅ、１３ｆをまとめて取り囲む円環状の上部ガイド壁１３ｇが設けられている。
【００３８】
吐出部材１４は、周壁１３ｂを取り囲んで液密に当接するとともに、周壁１３ｂを上下動可能に摺動させる外周壁１４ａを備えている。なお外周壁１４ａには、指掛け部１３ｂ１を逃がす切り欠き１４ａ１が設けられていて、その下端部には、係合壁１２ｄの爪部に係合する係合爪１４ａ２が設けられている。そして吐出部材１４は、外周壁１４ａの上端部に一体に連結するとともに天壁１３ａに対向する造形壁１４ｂを備えていて、造形壁１４ｂの中央部には、前述の成形孔４ｃと同様の形状及び配置になる成形孔１４ｃが設けられている。また造形壁１４ｂの下面には、円柱状をなすとともに開口１３ｃ、１３ｄに挿入されるシール部１４ｅが設けられている。
【００３９】
弾性体１５は、基壁１２ｃと天壁１３ａとの間であって、上部ガイド壁１３ｇの外側に配置されていて、保持部材１２に対してベース部材１３を上方に向けて付勢している。
【００４０】
本実施形態の吐出ヘッド１１から内容物を吐出させる場合も、上述した吐出ヘッド１と同様に、指掛け部１３ｂ１を指で押圧して、図４に示すようにベース部材１３を下方に向けて移動させる。ここで、ベース部材１３の周壁１３ｂは、外周壁１４ａに対して摺動可能に設けられている。このためベース部材１３は、水平状態を保ったままスムーズに下方に移動する。そして、ベース部材１３によってステム２０１ｃ、２０１ｄが押し下げられるため、吐出容器体２０１に収容された２種類の内容物は、ステム２０１ｃ、２０１ｄからそれぞれ吐出される。そしてステム２０１ｃから吐出された内容物は、送給筒１３ｅを経由して開口１３ｃから内部空間Ｎに導入され、またステム２０１ｄから吐出された内容物は、送給筒１３ｆを経由して開口１３ｄから内部空間Ｎに導入される。そして内部空間Ｎに導入された２種類の内容物は、開口１３ｃに近い成形孔１４ｃからはステム２０１ｃの内容物が吐出され、また開口１３ｄに近い成形孔１４ｃからはステム２０１ｄの内容物が吐出され、更に開口１３ｃと開口１３ｄの間の成形孔１４ｃからは、ステム２０１ｃとステム２０１ｄの内容物が混ざり合った状態で吐出される。従って、成形孔１４ｃから吐出される造形要素が組み合わさって形成される花の如き造形物は、開口１３ｃに近い側の端部はステム２０１ｃの内容物の色となり、開口１３ｄに近い側の端部はステム２０１ｄの内容物の色となり、中央部はステム２０１ｃとステム２０１ｄが混ざり合った色となる。このように本実施形態においても、造形物の色を変えることができるため、高い装飾性を得ることができる。
【００４１】
そして本実施形態においても、指掛け部１３ｂ１への押圧を解除すると、弾性体１５の弾性力によって、ベース部材１３は図３の状態に自動的に復帰させることができる。
【００４２】
以上、本発明について具体的な実施形態を示しながら説明したが、本発明に従う吐出ヘッドは、上述した実施形態に限られるものではなく、特許請求の範囲に従う範疇で種々の変更を加えたものも含まれる。例えば上述した吐出容器は、１つのステムを有する吐出容器体を２つ並べたものや、２つのステムを１つの吐出容器体に設けたものであって、これに対応させるべく、吐出ヘッドも２つの送給筒を有するように構成したが、１つのステムを有する吐出容器体を３つ以上並べたものや、３つ以上のステムを１つの吐出容器体に設けたものに使用することも可能であって、その場合は吐出ヘッドの送給筒もステムの数に対応させて３つ以上とすればよい。また上述した実施形態では、エアゾール式の吐出容器を示したが、他の手段で内容物を吐出させる容器（例えばポンプなど）を使用してもよい。また成形孔の形状や数、配置等は所望する造形物にあわせて適宜変更すればよく、これらを適宜選択することによって、例えば造形物における内容物が混合する部分の位置やその部分が占める割合などを変えることもできる。また吐出容器に収容する内容物も任意に変更してよく、例えば色は同色であっても吐出後の質感が互いに相違するような内容物を使用してもよい。また内容物は、泡状に吐出されるものに限られず、ある程度保形性が得られるもの（例えば、ある程度粘性があるものや練り状のものなど）であればよい。
【符号の説明】
【００４３】
１：吐出ヘッド
２：保持部材
２ａ：環状壁
２ｂ：爪部
２ｃ：内側壁
２ｄ：頂壁
２ｅ：内側側壁
２ｆ：上部環状壁
２ｇ：下部ガイド壁
２ｈ：係合壁
３：ベース部材
３ａ：天壁
３ｂ：周壁
３ｂ１：指掛け部
３ｃ：開口
３ｄ：開口
３ｅ：送給筒
３ｆ：送給筒
３ｇ：中央壁
３ｈ：上部ガイド壁
４：吐出部材
４ａ：外周壁
４ａ１：切り欠き
４ａ２：係合爪
４ｂ：造形壁
４ｃ、４ｄ：成形孔
４ｅ：シール部
５：弾性体
１１：吐出ヘッド
１２：保持部材
１２ａ：環状壁
１２ｂ：爪部
１２ｃ：基壁
１２ｄ：係合壁
１３：ベース部材
１３ａ：天壁
１３ｂ：周壁
１３ｂ１：指掛け部
１３ｃ、１３ｄ：開口
１３ｅ、１３ｆ：送給筒
１３ｇ：上部ガイド壁
１４：吐出部材
１４ａ：外周壁
１４ａ１：切り欠き
１４ａ２：係合爪
１４ｂ：造形壁
１４ｃ：成形孔
１４ｅ：シール部
１５：弾性体
１００：吐出容器
１０１、１０２：吐出容器体
１０１ａ、１０２ａ：容器本体
１０１ｂ、１０２ｂ：マウンティングカップ
１０１ｃ、１０２ｃ：ステム
２００：吐出容器
２０１：吐出容器体
２０１ａ：容器本体
２０１ｂ：マウンティングカップ
２０１ｃ、２０１ｄ：ステム
Ｎ：内部空間
【図１】
2019189310.tif 000003
【図２】
2019189310.tif 000004
【図３】
2019189310.tif 000005
【図４】
2019189310.tif 000006